(57)【要約】      （修正有）【課題】任意のコンピュータを使用して楽曲を録音または再生する場合に、操作者の演奏とタイミングを合わせるための音楽ソフトおよび方法を提供する。【解決手段】このソフトおよび方法は、録音時や再生時において、操作者が録音または再生前に予め設定した任意のテンポを一定に保ちつつ、操作者が設定した任意の拍または小節毎のタイミングポイントにおいて、操作者が合図をすることによって、操作者のリアルタイム演奏と録音または再生のタイミングを合わせることを可能とする。各タイミングポイント毎に、操作者が合図をするまでは、録音または再生が一時停止するステップと、録音または再生中に次の合図を早めにした場合には一時停止せずに、次のタイミングポイントがテンポ通りに実行されるステップとを備えることを特徴とする。【選択図】図１
2007316567.tif 000002
【特許請求の範囲】
【請求項１】
録音または再生を開始させるための合図を受ける合図入力部と、拍子のデータを予め記憶するテーブル１と、テンポのデータを予め記憶するテーブル２と、前記合図をするべきタイミングポイントのデータを予め記憶するテーブル３と、拍子情報を受ける拍子入力部と、テンポ情報を受けるテンポ入力部と、前記合図のタイミングポイント情報を受けるタイミングポイント入力部と、録音のみかまたは再生のみかまたは録音と再生の両方かというモードの指示を受けるモード入力部と、録音および再生開始ポイント情報を受ける開始ポイント入力部と、前記拍子および前記テンポ、前記タイミングポイント、前記モード入力部、前記開始ポイントを記憶する記憶部１と、操作者がタイミング悪く前記合図直前に演奏した音を前記合図までループ録音する機能と、前記合図直前のループ録音の情報を保管するための保管部１と、前記合図の入力と同時にループ録音が停止する機能と、前記合図の入力と同時に操作者によって演奏された楽曲を録音する機能と、前記録音された楽曲を保管する保管部２と、入力済みの楽曲データを前記合図と同時に再生する機能と、前記合図直前のループ録音の情報を加えるかどうかの情報を入力する前記ループ録音使用情報入力部と、録音または再生の開始実行命令時には開始せずに前記合図を受けるまで一時停止の状態を保持する機能と、前記合図を受けると同時に録音または再生の開始を実行する機能と、タイミングポイント毎に一時停止をする機能と、次のタイミングポイントに対する前記合図を受けるまで一時停止を保持する機能と、前記次のタイミングポイントにおける前記合図を受けて、前記一時停止をした時点の続きの部分の録音や再生が再度開始する機能と、録音または再生実行中に前記次のタイミングポイントが来る前において操作者によって行われた前記合図の情報を前記次のタイミングポイントまで一時保管する保管部３と、保管部３による情報と前記保管部１の前記タイミングポイント情報とから前記次のタイミングポイントにおける録音または再生をテンポどおりに行う機能と、前記保管部１による前記合図直前ループ録音の情報と前記保管部２による前記録音された楽曲の開始部分に前記合図直前ループ録音の情報を加える機能と、前記開始部分に加えた前記合図直前ループ録音の音符情報に等しい時間を前記保管部２による前記録音された楽曲の終了部分または前記録音された楽曲の１拍目の終了部分から削除する機能と、を備えていることを特徴とする音楽ソフト。
【請求項２】
コンピュータや電子機器を使用して楽曲を録音したり、再生したりするプログラムであって、録音または再生を開始させるための合図を受けるステップと、拍子、テンポ、前記合図をするべきタイミングポイントを予め記憶しているテーブルを用意するステップと、拍子情報、テンポ情報、前記合図のタイミングポイント情報を受けるステップと、録音のみかまたは再生のみかまたは録音と再生の両方かというモードの指示を受けるステップと、録音および再生開始ポイント情報を受けるステップと、操作者がタイミング悪く前記合図直前に演奏した音を前記合図までループ録音するステップと、前記合図の入力と同時にループ録音が停止するステップと、前記合図の入力と同時に操作者によって演奏された楽曲を録音するステップと、入力済みの楽曲データを前記合図と同時に再生するステップと、前記合図直前のループ録音の情報を加えるかどうかの情報を入力するステップと、録音または再生の開始実行命令時には開始せずに前記合図を受けるまで一時停止の状態を保持するステップと、前記合図を受けると同時に録音または再生の開始を実行するステップと、タイミングポイント毎に一時停止をするステップと、次のタイミングポイントに対する前記合図を受けるまで一時停止を保持するステップと、前記次のタイミングポイントにおける前記合図を受けて、前記一時停止をした時点の続きの部分の録音や再生が再度開始するステップと、録音または再生実行中に前記次のタイミングポイントが来る前において操作者によって行われたフライング合図の情報を前記次のタイミングポイントまで一時保管するステップと、フライング合図の情報と前記タイミングポイント情報とから前記次のタイミングポイントにおける録音または再生をテンポどおりに行うステップと、前記合図直前ループ録音の情報と前記録音された楽曲の開始部分に前記合図直前ループ録音の情報を加えるステップと、前記開始部分に加えた前記合図直前ループ録音の音符情報に等しい時間を前記録音された楽曲の終了部分または前記録音された楽曲の１拍目の終了部分から削除するステップと、を備えていることを特徴とする録音および再生プログラム。
【請求項３】
操作者が前記合図をするための操作子を提供するステップを有する請求項１記載の音楽ソフト。
【請求項４】
操作者が前記合図をするための操作子を提供するステップを有する請求項２記載の録音および再生プログラム。
【発明の詳細な説明】
【技術分野】
【０００１】  本発明はコンピュータを使用して、楽曲の音符入力および、録音、再生のタイミングを制御する音楽ソフトおよび方法に関するものである。
【背景技術】
【０００２】  従来の音楽ソフトでは、楽曲のリアルタイム演奏によって、ＭＩＤＩ規格を使用して音符入力するＭＩＤＩ音楽ソフトも、ＭＩＤＩ規格を使用しないで録音するサウンドレコーディングソフトやサウンドエディターソフト、サウンドクリエーターソフトなども、予め操作者が指定した任意のテンポによって自動的に録音のタイミングが進むが、入力録音途中において、操作者のリアルタイム演奏が入力のタイミングに遅れてしまい、音符入力や録音の失敗をすることが問題となっていた。【０００３】  また、既に入力された楽曲を再生させて、それに合わせてＭＩＤＩ機器や電子楽器を使用して音符の入力や楽曲の録音および演奏をする場合や、電子楽器以外の一般の楽器を使用した演奏によって合奏をする場合でも、入力や録音および再生システムのほうが、簡単な操作によって、操作者の演奏タイミングに合わせていくらでも待つような機能を持つ音楽ソフトやその方法がなかった。【０００４】  タイミングポイントを楽曲中に埋め込むソフトもあるが時間と手数のかかる方法であった。【０００５】  また、ＭＩＤＩ規格のタイムコードによる同期はあるが、それを利用した従来までの音楽ソフトや方法では、操作者が待って欲しいところで待つものはなかった。【０００６】  音符入力や録音および再生のスタート時点におけるタイミングの制御は従来技術にあったが、楽曲中の随時において、簡単な操作によって、操作者が合図を送るまでシステムが待つリアルタイム入力や録音および再生の機能を備えた音楽ソフトはなかった。【０００７】  楽曲の再生による自動演奏システムとの合奏において操作者の演奏の時間を基に、加速度によって計算したり、また、操作者の演奏において強拍など２つの音量のピークを検出して、ピークと次のピークとの時間を計測したり、操作者が指示する２つの合図の間の時間を計測したりして次の入力のテンポを算出するものもあった。【０００８】  指揮棒などの操作子による入力時の加速度などから次の入力のテンポを算出することによって推定しシステムに自動演奏させているものもあった。
【特許文献１】特開平９−１２７９３７号公報
【特許文献２】特開２００６−８４８５５号公報
【特許文献３】特開平２００３−５０９７２９号公報
【特許文献４】特開平２００５−５３０１９２号公報
【特許文献５】特開平１１−１５１３８０号公報
【特許文献６】特開２００４−５２７７８６号公報
【発明の開示】
【発明が解決しようとする課題】
【０００９】  しかし、テンポを自動的に変える方法では、操作者自身も、合わなかった部分に対しての修正を行おうとする意識が働き、システムと操作者が逆の修正を行う結果、また次の演奏が合わないということが起こる可能性や不安定なテンポによる演奏が継続する可能性があった。【００１０】  また、ピークを検出する方法では、強拍と弱拍が明確である単純な楽曲のみ算出が可能であり，強拍が不明確であったり、複雑な音型やリズムであったり、１小節毎に拍子が変わるような現代音楽では、使用が困難であった。【００１１】  操作者の演奏に合わせてテンポを変えるソフトでは、例えば操作者が３０小節間タイで繋がれた全音符によるメロディーパートを演奏するような楽曲や３０小節の間に、全休符が続く楽曲には使用できない。【００１２】  また、操作者が即興的にフェルマータ記号（音符の長さを十分長く延ばす）をシステムに実行させたい場合において、システムに十分に待たせておいて、その間に操作者が自由に演奏できるような音楽再生ソフトはなかった。【００１３】  これまでの音楽ソフトや方法では、複雑なリズムや拍子を含む現代音楽をはじめ、クロスオーバー的なジャズなどの場合、タイミングを合わせる技術は十分ではなかった。【００１４】  操作者が、テンポを一定に保った上で、操作者の演奏の能力や都合に対し、入力または録音、再生のタイミングをシステムのほうが合わせる音楽ソフトが望まれた。しかし、従来までこのような入力および録音、再生方法はなかった。
【課題を解決するための手段】
【００１５】  本発明は、任意のコンピュータやＭＩＤＩ機器または、電子音源、電子楽器、サンプラーなどあらゆる電子音源やあらゆる電子デバイスなどを使用して、楽曲をリアルタイム演奏によって録音をする場合、また、既に入力や録音されている楽曲を再生させてそれに合わせて音符をリアルタイムに入力したり録音したり、また、一般の楽器を演奏して合奏をする場合、操作者が予め、任意の拍子と、任意のテンポと録音および再生開始ポイントと、半拍毎や、１拍毎、２拍毎、１小節毎、２小節毎、４小節毎、８小節毎、１６小節毎など、また、変則的に各小節の１拍目と４拍目のみなど、任意のタイミングポイントと、を設定することにより、操作者が録音や再生を開始させてもまず一時停止の状態となり、最初の合図をするまではその状態をいつまででも待ち、合図をすることによって初めて録音や再生が実際に開始して、次ぎの合図をするべきタイミングポイントの直前までのスパンを録音や再生した後は自動的に一時停止し、操作者が次の合図をするまでは、システムは録音や再生を行わずに待ち、合図をすると続きの部分から録音や再生が開始し、これを繰り返し、タイミングポイント毎に次の録音や再生を待つ機能を有する音楽ソフトと、音符入力方法および再生方法である。この目的のための方法はこれまでには存在せず、本発明は独創的かつ画期的なものである。【００１６】  本ソフトおよび方法では、リアルタイム演奏によって入力や録音または再生を行う場合、任意のタイミングポイント毎に、楽曲の全体を通してテンポを変更することなく、操作者が次の音符を入力や演奏できる準備が整うまでシステムが録音または再生の開始を待ち、合図することによって、次のスパンの録音または再生が実行される方法および音楽ソフトである（このように操作者のタイミングに合わせてリアルタイムで入力や録音または再生をすることを以下、マイリアルタイム入力・録音・再生という）。【００１７】  テンポが変わらないというのが大変重要である。操作者が演奏の練習をするときやまた、楽曲を録音するときに、テンポが変わると、実際には、演奏の練習にもならず、また、録音も難しい。準備が整った部分だけを順に演奏して合奏するために再生させたり、また、演奏を録音したりするために、タイミングだけを合わせることが必要であり、本発明ではこれを実現している。【００１８】操作者が合図する場合は、好ましくは手や足で叩くパッドやペダルを操作子として用るが、パッドの代わりに肘、膝、口、口腔内、首、息、声など合図をすることが可能な身体のあらゆる部位を使用することも可能であり、各々に適したセンサを用いで操作者が合図をすることができる。また、操作子の代わりにＭＩＤＩ機器やＭＩＤＩキーボード、電子楽器などの任意の鍵盤や任意の音程、コンピュータキーボードの任意のキーや、タッチパネルなど、他の電子デバイスを使用することも可能である。
【発明の効果】
【００１９】  このマイリアルタイム入力・録音・再生の機能を有する音楽ソフトおよび方法を使用することによって、楽曲のリアルタイム演奏による入力および録音による多くの失敗を防ぐことができる。また、演奏が苦手ではあっても、タイミングに焦らされず、ゆっくりタイミングを指定しながら録音できるなら、１拍毎や１小節毎に演奏しながら入力や録音をしたいと希望する操作者にも、入力や録音の方法の選択肢を広げる効果がある。また、入力や録音、または再生を伴う入力や録音の際に次の合図までは、いずれの音を鳴らしても、そして間違いながらでもその間違いが録音されないので、次の音を確認したり練習したりしながら、録音や再生の作業を行うことができるため、録音の失敗がかなり減少し、アマチュアの使用者だけではなくプロの音楽家にとっても作業時間の短縮となる。【００２０】  また、演奏会本番に向けて、伴奏を伴うソロ曲や、協奏曲を練習するソリストやまた、合奏曲を自宅で個人練習する演奏家が該音楽ソフトおよび方法を使用することによって、実演の際には伴奏者や他の演奏パートを待たせておいて、フェルマータのところを思う存分延ばして演奏する部分の練習や、装飾的な細かいリズムの音符による即興的なパッセージを挿入するようなカデンツァのような部分の練習も行うことができる。さらに、コンピュータとの合奏による演奏発表も可能となる。【００２１】  また、現代音楽のように、拍子が１小節毎に変更したり、また例えば１小節が４分の４拍子＋８分の１拍子＋１６分の１拍子であるような複雑な拍子を有する楽曲や非常に複雑なリズムを含む楽曲の入力や再生には、従来の音楽ソフトでは不十分であるが該音楽ソフトはこの問題を解決している。【００２２】  また、音楽の初心者でも、また、障害を持つ人でも、本入力方法を使用することにより、リアルタイムに演奏しながら、音や音符、楽譜をあせることなく、また、タイミングの失敗をすることなく入力したり、また再生させたり、合奏したりすることができる。【００２３】  本発明は操作者のタイミングを操作者自身が合図し、入力システムのほうが操作者のに合わせてくれる点で利点が大きく、また、従来までになかった画期的な方法および音楽ソフトである。【００２４】  本発明は、コンピュータを使用して楽曲を録音および再生させるためのプログラミングである。【００２５】  本発明に係るプログラムは、例えば、記録媒体に記録される。媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ，ＤＶＤ−ＲＯＭ、ＤＶＤ−ＲＡＭを含む）ＲＯＭカートリッジ、バッテバックアップ付きのＲＡＭメモリカートリッジ、フラッシュメモリカートリッジ、不揮発性ＲＡＭカートリッジ等を含む。【００２６】  また、電話回線等の有線通信媒体、マイクロ波回線などの無線通信媒体等の通信媒体を含む。インターネットもここでいう通信媒体に含まれる。【００２７】  媒体とは、何らかの物理的手段により情報（主にデジタルｄ−た、プログラム）が記録されているものであって、コンピュータ、専用プロセッサなどの処理装置に所定の機能を行わせることが出来るものである。要するに、何らかの手段でもってコンピュータにプログラムをダウンロードし、所定の機能を実行させるものであればよい。
【実施例】
【００２８】  ［図１］の発明の実施の形態に係るフローチャートを基に以下説明をする。【００２９】  実施例１。１曲目は、［楽譜１］を例にあげて、「録音と再生モード」を説明する。［楽譜１］は本実施例のために書かれた２小節である。まず拍子とテンポとを、予め記憶している拍子記憶テーブルとテンポ記憶テーブルから選び、設定する。１曲目は４／４拍子、テンポは１分間に四分音符６０回を設定する。設定しないときは初期設定になる。初期設定は操作者が任意に設定することができる。【００３０】  合図するべきタイミングポイントを、半拍毎、１拍毎、２拍毎、３拍毎、４拍毎、５拍毎、１小節毎、２小節毎、３小節毎、４小節毎、５小節毎、など任意の数字と、拍毎か小節毎か、選び、設定する。また、１拍目と４拍目のみなど変則的なものを選ぶこともできる。１曲目は１小節毎を選び、設定する。これにより、システムが、１曲目の録音と再生を実行して一時停止するスパンは１小節間ということになる。つまり、この場合４秒間である。【００３１】  次に、「録音と再生の両方を同時に実行させる」か「録音のみ」か「再生のみ」かのいずれかのモードを設定する。１曲目は既に伴奏が、１小節目に「二分音符ド、二分音符レ」、２小節目に「二分音符ミ、二分音符ファ」が入力済みである楽曲の場合で、録音と再生のモードを設定する。【００３２】  楽曲のどの部分から録音または再生を開始するかという開始ポイントを設定する。ここでアウフタクトの設定をすることができる。１曲目は「楽曲の最初から」を設定し、アウフタクトは設定しない。【００３３】  モードを「録音のみ」かまたは「録音と再生の両方」を設定した場合、開始ポイントを設定した時点でループ録音が始まる。ループ録音は、操作者が合図をするよりもほんの少し前に演奏してしまった場合の音を有効にするための機能である。ループの長さを操作者が任意に設定することができる。１曲目では１／８拍のループを設定する。【００３４】  拍子、テンポ、タイミングポイント、開始ポイント、録音か再生かを選ばないときは初期設定になる。初期設定は操作者が任意に設定することができる。【００３５】  ループ録音を開始し、合図直前の演奏を録音する【００３６】  操作者が合図をする。【００３７】  システムは、合図を受けて、その合図と同時にループ録音を停止し、ループ録音の最後の１／８拍分の録音を一時保存する。この曲の場合、１拍が１秒なので、１／８拍分は１／８秒となる。【００３８】  入力済み楽曲データがある場合で、再生を選択した場合は、合図と同時にこれを再生する。１曲目はこの合図と同時に「二分音符ド、二分音符レ」が鳴る。このとき、操作者が１小節目の合図を一度も切らずにずっと保持している場合は、この１小節目の最後に鳴っている「レ」の音が鳴り続け、合図を切ると切れる。【００３９】  システムは合図と同時に録音を始める。【００４０】  操作者は合図と同時に１小節目の音符である、「シド、レ、ミ、ファ」を演奏をする。システムは、この演奏を録音する。【００４１】  次のタイミングポイントは２小節目であるので、ここでシステムは録音および再生を自動的に一時停止する。【００４２】  操作者は、リアルタイム演奏において、「装飾音符のシ」を短く演奏したあと、「ド、レ、ミ、ファーーーー」と４拍目の後、止まってしまっても、システムのほうも止まっているので失敗にならない。システムは、四分音符４つ分を録音した後は、鳴りっぱなしのファも四分音符分以外は録音されない。但し、操作者が１小節目の１拍目に行った合図を一度も切らずにずっと保持している場合は、１小節目の４拍目の後から次のタイミングポイントである２小節目の１拍目までの間に、拍としてはカウントされないノンカウント音として、リアルタイム演奏と同じ演奏時間で録音される。保持していた合図を切ると録音が一時停止する。【００４３】  １小節目の録音の音を聴いて確認してから次に進むこともできるが、ここでは確認せずに次に続ける。ここで操作者は次の２小節目の音符を確認したり練習したりすることができる。【００４４】  一時停止と同時に次ぎのループ録音を開始し、次の合図直前の演奏を録音する。【００４５】  次の合図をするかどうか選択することができる。「合図をしない」を選択する場合は、「停止」する。次の合図をすることにより、「合図をする」を選択したことになる。ここでは、次の合図をする。【００４６】  次の合図を受けて、合図と同時にループ録音を停止し、ループ録音の最後の１／８秒の録音を一時保存する。１小節目の直前のループ録音は一時保存されたまま、２小節目の直前のループ録音も一時保存される。ループ録音は次々と保存されていく。【００４７】  合図と同時に２小節目の伴奏の「二分音符ミ、二分音符ファ」が再生される。【００４８】  合図と同時に２小節目の録音が始まる。【００４９】  操作者は合図と同時に２小節目の音符である、「装飾音符のファのシャープ」を短く演奏した後、「ソ、ラ、シ、ド」を演奏する。システムは、この演奏を録音する。【００５０】  システムは、次のタイミングポイントである３小節目の１拍目の直前で録音および再生を一時停止する。【００５１】  次の合図をするかどうか選択することができる。ここでは、合図をしないで、「停止」する。【００５２】  録音確認と保存とループ録音を加えるかどうかを順不同で選択できる。【００５３】ここでは１小節目の装飾音符が合図の１／１６秒直前に演奏してしまったためにループ録音を１／１６秒加えることにする。「シ」と「ド」を重ねて加えることもできるが、シをドの前に付け加えて、１拍目の四分音符のドの長さの最後の部分を装飾音符のシの長さの分だけ、つまり１／１６秒だけ削除する。２小節目はうまく演奏していたので、ループ録音を加えない。【００５４】  やり直すかどうか選択できる。やり直す場合は開始ポイントを設定するところから進む。【００５５】  やり直さない場合は、設定変更することができる。【００５６】  設定変更する場合は、拍子を設定するところから進む。しない場合は、終了するか、録音・再生のモードを切り替えることができるところから進む。【００５７】  終了する場合は、「終了」する。【００５８】  １曲目の場合で、１小節目を録音および再生している途中、例えば１小節目の２拍目の「レ」や３拍目の「ミ」を操作者が演奏しているときに、次のタイミングポイントの分を操作者が早めに合図した場合、この合図を受けたという情報を一時保存し、システムは次のタイミングポイント直前で停止することなく、テンポ通りに２小節目の１拍目から４拍目までを録音および再生する。従って操作者は１小節目に続けて「ファのシャープとソ、ラ、シ、ド」を演奏しなければならない。【００５９】  実施例２。２曲目は［楽譜２］を例にあげて、再生モードを説明する。［楽譜２］は「オー・ソレ・ミオ」というイタリアのカンツォーネの中の１小節である。【００６０】  手順は１曲目と同じで、２／４拍子、テンポは１分間に四分音符６０回を選び、「再生のみ」のモードを選択し、タイミングポイントを半拍毎とする。これにより、システムが、２曲目の再生を実行して一時停止するスパンは半拍間ということになる。つまり、この場合０．５秒間である。【００６１】  曲中の「オー・ソー・レ・ミー・オー」のところの小節は、１小節に八分音符が４つある。この小節の１拍目の裏拍で「オー」、２拍目で「ソー」、２拍目の裏拍で「レ」となっている。操作者が２拍目の「ソー」を、非常に長く長く延ばして歌いたい場合、２拍目の裏拍のときの合図を操作者が思う存分遅らせることによって実現できる。この曲はこのような箇所が多い曲である。【００６２】  以上の方法は、ＭＩＤＩ規格による音楽ソフトはもとより、ＭＩＤＩ規格を使用しない録音ソフトにおいても、テンポと拍子を設定した上で時間を計算することによって、小節数や拍数が決定し、録音や再生にこの方法を使用することが可能である。【００６３】  具体的には、４分の４拍子、テンポが１分間に四分音符６０回とすると、１拍である四分音符の長さが１秒となる。５小節目の１拍目から録音や再生をする命令を操作者が行った場合、システムは楽曲の１７秒目から開始する。ノンカウント音の箇所は合図を切らずに録音し続けた部分であるという情報とともに保存され、上記の計算のうちから除外する処理を行う。例えば、この場合、５小節目の前に３秒間、自由なアドリブ演奏を挿入した場合、５小節目の１拍目は２０秒目となる。
【産業上の利用可能性】
【００６４】  本発明は子供でも、大人でも、また、からだの不自由な障害者でも使用することができる、音符入力および楽曲録音、入力済み楽曲データの再生の音楽ソフトとその方法であり、演奏があまりうまくない初心者にも、プロの音楽家にも、非常に有用性が高く、また、演奏や作曲が好きな障害者にとってのリハビリや趣味範囲の拡大の利点もあり、産業上の利用可能性としては、該音楽ソフトの制作販売や、該音楽ソフトおよび該方法を利用して音楽製作や音楽ＣＤ制作の可能性が大きい。さらに、現代音楽の演奏会や商業音楽のコンサートにおいて、コンピュータとの合奏による演奏発表も可能となる。
【図面の簡単な説明】
【００６５】
【図１】発明の実施の形態に係るフローチャートである。  楽譜１「録音と再生の両方」のモードに関する楽譜である。  楽譜２「再生のみ」のモードに関する楽譜である。
【図１】
2007316567.tif 000003
2007316567.tif 000004